(57)【要約】【課題】切断刃でバスバーを切断しようとする際の受容室内に向けた同バスバーのずれや伸びを抑制する。【解決手段】バスバー１の切断時には、切断刃４の刃部４ａがバスバー１に当たった状態で受容室６の開口部６ａとすれ違う方向に移動しようとして、バスバー１における上記刃部４ａと上記開口部６ａとの間に位置する部分に剪断力が働き、同剪断力が働く際にバスバー１が受容室内に向けて引っ張られる。しかし、切断刃４が設けられたブロック５における受容室６の開口部６ａ周りに対応する部分であって刃部４ａ寄りの部分が、ブロック５によりハウジング２に対し拘束されているため、バスバー１における上記拘束がなされる部分が受容室６内に向けてずれることは抑制される。また、バスバー１における上記拘束がなされる部分と刃部４ａが当たる部分との間の距離が短いため、その部分が受容室６内に向けて伸びにくくなる。【選択図】図１
2014067618.tif 000002
【特許請求の範囲】
【請求項１】
ハウジングに形成された収容部内に電気回路を構成するバスバーが延設されており、前記ハウジングにおける前記バスバーの厚さ方向一方側に受容室を形成するとともに同厚さ方向の他方側に切断刃を設け、前記切断刃を前記受容室に向けて移動させ、その際に前記切断刃と前記受容室の開口部との間に働く剪断力により、前記バスバーを切断する電気回路の遮断装置において、
前記収容部内には、前記バスバーにおける前記受容室の開口部周りに対応する部分であって前記切断刃寄りの部分を前記ハウジングに対し拘束するブロックが設けられている
ことを特徴とする電気回路の遮断装置。
【請求項２】
前記ブロックは、前記バスバーにおける前記受容室の開口部周りに対応する部分のうち、前記切断刃寄りの部分に対し前記開口部を挟んだ反対側の部分も、前記ハウジングに対し拘束する
請求項１記載の電気回路の遮断装置。
【請求項３】
前記ブロックは、そのブロック及び前記バスバーのうちの一方に形成された突起を他方に形成された嵌め込み部に嵌め込むことにより、前記バスバーに対し位置決めされる
請求項１又は２記載の電気回路の遮断装置。
【請求項４】
前記ブロックは、二つの分割体で前記バスバーを挟み込んだ状態のもと、それら分割体を互いに結合することにより、前記突起の前記嵌め込み部への嵌め込みを実現するものである
請求項３記載の電気回路の遮断装置。
【請求項５】
前記ブロックは、樹脂製であって、インサート成形により前記バスバーに接触する部分全体が同バスバーに対し固着されている
請求項１又は２記載の電気回路の遮断装置。
【請求項６】
前記ブロックは、前記切断刃が一体形成されており、且つ、前記ハウジングに対し位置決めされるものであり、
前記ブロックの前記ハウジングに対する位置決めは、前記ブロック及び前記ハウジングのうちの一方に形成された突起を他方に形成された凹所に嵌め込むことによって実現される
請求項１〜５のいずれか一項に記載の電気回路の遮断装置。
【発明の詳細な説明】
【技術分野】
【０００１】
本発明は、電気回路の遮断装置に関する。
【背景技術】
【０００２】
各種の電気回路が設けられる自動車等においては、異常時に電気回路への通電が行われないようにするため、上記異常時に電気回路を構成するバスバーを切断する遮断装置が搭載される（特許文献１、２参照）。こうした遮断装置では、ハウジングに上記バスバーが延設されており、同ハウジングにおける上記バスバーの厚さ方向一方側に受容室が形成されるとともに同厚さ方向の他方側に切断刃が設けられる。そして、上記切断刃を受容室に向けて移動させると、その切断刃がバスバーに当たった状態で上記受容室の開口部とすれ違う方向に移動しようとして、バスバーにおける上記切断刃と上記受容室の開口部との間に位置する部分に剪断力が働き、その剪断力によってバスバーが切断される。
【先行技術文献】
【特許文献】
【０００３】
【特許文献１】特許第４２２８０６３号公報
【特許文献２】特許第４３４４２５５号公報
【発明の概要】
【発明が解決しようとする課題】
【０００４】
ところで、遮断装置において、切断刃によりバスバーを切断する際には、同バスバーにおける上記切断刃と上記受容室の開口部との間に位置する部分に働く上記剪断力により、バスバーが受容室内に引き込まれる方向にずれたり伸びたりするおそれがある。そして、このようにバスバーが受容室内に引き込まれる方向にずれたり伸びたりすると、切断刃の受容室内への移動によるバスバーの良好な切断を実現することが困難になる。
【０００５】
本発明はこのような実情に鑑みてなされたものであって、その目的は、切断刃でバスバーを切断しようとする際の受容室内に向けた同バスバーのずれや伸びを抑制することができる電気回路の遮断装置を提供することにある。
【課題を解決するための手段】
【０００６】
以下、上記目的を達成するための手段及びその作用効果について記載する。
上記目的を達成するため、請求項１記載の発明では、ハウジングに形成された収容部内に電気回路を構成するバスバーが延設されており、前記ハウジングにおける前記バスバーの厚さ方向一方側に受容室を形成するとともに同厚さ方向の他方側に切断刃を設け、前記切断刃を前記受容室に向けて移動させ、その際に前記切断刃と前記受容室の開口部との間に働く剪断力により、前記バスバーを切断する電気回路の遮断装置において、前記収容部内には、前記バスバーにおける前記受容室の開口部周りに対応する部分であって前記切断刃寄りの部分を前記ハウジングに対し拘束するブロックが設けられていることを要旨とした。
【０００７】
上記構成によれば、ハウジングの収容部内に延設されたバスバーを切断すべく切断刃を受容室内に向けて移動させると、その切断刃がバスバーに当たった状態で受容室の開口部とすれ違う方向に移動しようとする。その結果、バスバーにおける上記切断刃と上記受容室の開口部との間に位置する部分に剪断力が働き、同剪断力が働く際にバスバーが受容室内に向けて引っ張られる。しかし、バスバーにおける受容室の開口部周りに対応する部分であって切断刃寄りの部分は、収容部内に設けられたブロックによってハウジングに対し拘束されているため、バスバーにおける上記拘束された部分が受容室内に向けてずれることは抑制される。そして、バスバーにおける上記ブロックによってハウジングに対し拘束された部分が受容室に向けてずれにくくなる分、切断刃の受容室内への移動に伴うバスバーの良好な切断を実現しやすくなる。また、バスバーにおける上記ブロックによってハウジングに対し拘束された部分と切断刃が当たる部分との間の距離、すなわちバスバーが受容室側に引っ張られたときに伸びる部分の距離が短いため、その部分が受容室内に向けて伸びにくくなる。そして、バスバーにおける上記部分が受容室内に向けて伸びにくくなる分、切断刃の受容室内への移動に伴うバスバーの良好な切断を実現しやすくなる。
【０００８】
請求項２記載の発明では、請求項１記載の発明において、前記ブロックは、前記バスバーにおける前記受容室の開口部周りに対応する部分のうち、前記切断刃寄りの部分に対し前記開口部を挟んだ反対側の部分も、前記ハウジングに対し拘束することを要旨とした。
【０００９】
上記構成によれば、切断時のバスバーが受容室内に向けて引っ張られるとしても、バスバーにおける受容室の開口部周りに対応する部分のうち切断刃寄りの部分、及び、その部分に対し上記開口部を挟んだ反対側の部分であって、ブロックによりハウジングに対し拘束された部分では、バスバーが受容室内に向けてずれることは抑制される。そして、それらバスバーにおける上記拘束がなされる部分が受容室に向けてずれにくくなる分、切断刃の受容室内への移動に伴うバスバーの良好な切断をより一層実現しやすくなる。また、上述したようにバスバーが受容室側に引っ張られたときに伸びる部分は、バスバーにおける上記拘束がなされる部分同士の間という短い部分となるため、同部分が受容室内に向けて伸びることが一層生じにくくなる。そして、バスバーにおける上記部分が受容室内に向けて伸びにくくなる分、切断刃の受容室内への移動に伴うバスバーの良好な切断を実現しやすくなる。
【００１０】
請求項３記載の発明では、請求項１又は２記載の発明において、前記ブロックは、そのブロック及び前記バスバーのうちの一方に形成された突起を他方に形成された嵌め込み部に嵌め込むことにより、前記バスバーに対し位置決めされることを要旨とした。
【００１１】
上記構成によれば、ブロック及びバスバーの一方に形成された突起を他方に形成された嵌め込み部に嵌め込むことにより、ブロックがバスバーに対し位置決めされるため、同ブロックのバスバーに対するずれを抑制して両者の相対位置を適切なものとすることができる。
【００１２】
請求項４記載の発明では、請求項３記載の発明において、前記ブロックは、二つの分割体で前記バスバーを挟み込んだ状態のもと、それら分割体を互いに結合することにより、前記突起の前記嵌め込み部への嵌め込みを実現するものであることを要旨とした。
【００１３】
上記構成によれば、ブロックを形成すべく二つの分割体でバスバーを挟んだ状態で両分割体を互いに結合するとき、突起が嵌め込み部に嵌め込まれるため、その嵌め込みによるブロックのバスバーに対する位置決めを容易に行うことができる。
【００１４】
請求項５記載の発明では、請求項１又は２記載の発明において、前記ブロックは、樹脂製であって、インサート成形により前記バスバーに接触する部分全体が同バスバーに対し固着されていることを要旨とした。
【００１５】
上記構成によれば、ブロックをバスバーに対し固着させることにより、そのブロックによってバスバーをハウジングに対し拘束するとき、その拘束をより的確に行うことができる。
【００１６】
請求項６記載の発明では、請求項１〜５のいずれか一項に記載の発明において、前記ブロックは、前記切断刃が一体形成されており、且つ、前記ハウジングに対し位置決めされるものであり、前記ブロックの前記ハウジングに対する位置決めは、前記ブロック及び前記ハウジングの一方に形成された突起と他方に形成された凹所に嵌め込むことによって実現されることを要旨とした。
【００１７】
上記構成によれば、切断刃が一体形成されたブロックのハウジングに対する位置決めが突起を凹所に嵌め込むことによって実現され、その位置決めにより切断刃と受容室の開口部とのクリアランスを適切な値に設定することができる。
【発明の効果】
【００１８】
本発明によれば、切断刃でバスバーを切断しようとする際の受容室内に向けた同バスバーのずれや伸びを抑制することができる。
【図面の簡単な説明】
【００１９】
【図１】本発明の遮断装置全体を示す断面図。
【図２】同遮断装置のブロックをバスバーに固定する構造を示す斜視図。
【図３】ブロック及びバスバーにおける切断刃周りの構造を示す略図。
【発明を実施するための形態】
【００２０】
以下、本発明を電気回路の遮断装置に具体化した一実施形態について、図１〜図３を参照して説明する。
図１に示す遮断装置においては、電気回路を構成するバスバー１がハウジング２に形成された収容部３内に延設されている。上記バスバー１は、銅などの電気伝導率の高い材料によって薄板状に形成されており、ハウジング２の収容部３内で直線状に延びている。また、収容部３はバスバー１と同方向に延びており、収容部３におけるバスバー１の厚さ方向の距離は固定値となっている。このバスバー１における厚さ方向一方側の面には樹脂製のブロック５が取り付けられている。このようにブロック５をバスバー１に取り付けた状態で、それらバスバー１及びブロック５を収容部３内に押し込むことにより、ブロック５がバスバー１の厚さ方向に弾性変形し、上記ブロック５の弾性によってハウジング２に対しバスバー１がその厚さ方向に押し付けられる。その結果、バスバー１がブロック５によってハウジング２に対し拘束される。
【００２１】
ハウジング２には、収容部３におけるブロック５側の部分と繋がってバスバー１の厚さ方向に延びる穴７が形成されるとともに、収容部３におけるバスバー１側の部分であって上記穴７に対応する位置にて開口する受容室６が形成されている。ブロック５における穴７に対応する部分には切断刃４が設けられている。この切断刃４は、ブロック５と一体に形成されており、弾性変形を通じてバスバー１の厚さ方向に移動可能となっている。そして、ハウジング２において、バスバー１の厚さ方向の一方側（図中上側）には上記受容室６が位置し、バスバー１の厚さ方向の他方側には上記切断刃４が位置している。
【００２２】
上記穴７内はバスバー１の厚さ方向に移動可能なハンマ８によって区画されており、そのハンマ８によって区画された二つの部分のうちバスバー１から離れた方の部分には内蔵された火薬を着火燃焼させて燃焼ガスを発生させるガス発生器９が設けられている。そして、ガス発生器９にて燃焼ガスを発生させると、それに伴う穴７内の圧力上昇によってハンマ８がバスバー１側に移動し、更に同ハンマ８によって切断刃４がバスバー１側に押される。切断刃４が上記ハンマ８に押されてバスバー１に接近する方向に移動すると、その切断刃４に形成された刃部４ａがバスバー１に当たった状態のもとで同刃部４ａによるバスバー１の切断が行われる。
【００２３】
バスバー１は、上述したようにブロック５によってハウジング２に対し拘束されるため、バスバー１における受容室６の開口部周りに対応する部分であって切断刃４寄りの部分、及び、その部分に対し上記開口部を挟んだ反対側の部分もブロック５によりハウジング２に対し拘束される。また、ブロック５は、受容室６の開口部６ａ周りに対応する部分のうち、切断刃４の刃部４ａ寄りの部分においてバスバー１に対し位置決めされるとともに、その切断刃４の刃部４ａ寄りの部分に対し上記開口部６ａを挟んだ反対側の部分においてもバスバー１に対し位置決めされている。以下、このようにブロック５をバスバー１に対して位置決めする構造について詳しく説明する。
【００２４】
図２に示すように、ブロック５は、バスバー１と同方向に延びる形状とされている。ブロック５において、バスバー１の延びる方向についての切断刃４の両側には、それぞれ突起１０ａ，１０ｂが形成されている。これらの突起１０ａ，１０ｂは、バスバー１側に突出するとともにバスバー１の幅方向に長くなる形状を有している。ブロック５における幅方向（バスバー１の幅方向に対応）の両縁にはそれぞれ、バスバー１に向かって突出し且つバスバー１と同方向に延びる突条１１，１２が形成されている。これら突条１１，１２の互いに対向する面であって突起１０ａよりも切断刃４から離れる位置には、互いに対向するように突出した突起１３がそれぞれ形成されている。また、突条１１，１２の互いに対向する面であって突起１０ｂよりも切断刃４から離れる位置には、互いに対向するように突出した突起１４がそれぞれ形成されている。
【００２５】
一方、バスバー１には、その延びる方向に所定の距離をおいて長孔１５ａ，１５ｂが形成されている。これら長孔１５ａ，１５ｂは、バスバー１を厚さ方向に貫通した状態となっており、ブロック５の突起１０ａ，１０ｂを嵌め込むことが可能な嵌め込み部となっている。なお、長孔１５ａは突起１０ａに対応した位置に形成される一方、長孔１５ｂは突起１０ｂに対応した位置に形成されている。また、バスバー１の幅方向の両側部にはそれぞれ、ブロック５の突条１１，１２に形成された突起１３、１４を嵌め込むことが可能な嵌め込み部として窪み１６，１７が形成されている。そして、ブロック５の突起１０ａ，１０ｂをバスバーの長孔１５ａ，１５ｂに嵌め込むとともに、ブロック５の突起１３，１４をバスバー１の窪み１６，１７に嵌め込むことにより、ブロック５がバスバー１に対し上述したように位置決めされる。
【００２６】
なお、バスバー１における各長孔１５ａ，１５ｂの間であって、バスバー１に対し位置決めされたブロック５の切断刃４（刃部４ａ）に対応する部分は、同切断刃４による切断を行いやすくすることを意図して、他の部分よりも小さい幅となるように形成されている。
【００２７】
上述したようにバスバー１に対し位置決めされたブロック５は、図１に示すハウジング２の収容部３内に押し込まれたとき、バスバー１をハウジング２に対し拘束するとともに、次のようにハウジング２に対するバスバー１の延びる方向についての位置決めを行う。すなわち、バスバー１の長孔１５ａ，１５ｂに嵌め込まれたブロック５の突起１０ａ，１０ｂが、それら長孔１５ａ，１５ｂを貫通した状態となり、ハウジング２の受容室６の横で収容部３に開口するように形成された凹所１８ａ，１８ｂにそれぞれ嵌め込まれる。このように突起１０ａ，１０ｂが凹所１８ａ，１８ｂに嵌め込まれることにより、ブロック５がハウジング２に対しバスバー１の延びる方向について位置決めされる。
【００２８】
次に、このように構成された遮断装置の作用について説明する。
遮断装置においては、異常時に電気回路への通電が行われないようにするため、その電気回路を構成するバスバー１を切断する。詳しくは、同装置のガス発生器９にて燃焼ガスを発生させ、それに伴う穴７内の圧力上昇によってハンマ８をバスバー１側に移動させる。このようにハンマ８を移動させると、同ハンマ８により切断刃４もバスバー１側に押される。そして、図３に示されるように、切断刃４に形成された刃部４ａがバスバー１に当たった状態で受容室６の開口部６ａとすれ違う方向に移動しようとして、バスバー１における上記切断刃４の刃部４ａと上記受容室６の開口部６ａとの間（図中のクリアランスＣ）に位置する部分に剪断力が働き、その剪断力によってバスバー１が切断される。
【００２９】
ここで、切断刃４の刃部４ａがバスバー１に当たった状態で受容室６の開口部６ａとすれ違う方向に移動しようとして、バスバー１における上記切断刃４の刃部４ａと上記受容室６の開口部６ａとの間（クリアランスＣ）に位置する部分に剪断力が働くと、その際にバスバー１が受容室６内に向けて引っ張られる。
【００３０】
しかし、バスバー１における切断刃４の刃部４ａ寄りの部分、及び、その部分に対し上記開口部６ａを挟んだ反対側の部分がブロック５によりハウジング２に対し拘束されている。このため、バスバー１における上記拘束がなされる部分が受容室６内に向けてずれることは抑制される。そして、バスバー１における上記拘束がなされる部分が受容室６に向けてずれにくくなる分、切断刃４の受容室６内への移動に伴うバスバー１の良好な切断を実現しやすくなる。
【００３１】
また、ブロック５によるバスバー１の上記拘束により、同バスバー１における上記拘束がなされる部分と切断刃４の刃部４ａが当たる部分との間の距離、すなわちバスバー１が受容室６側に引っ張られたときに伸びる部分の距離が短くてすむ。言い換えれば、上述したようにバスバー１が受容室６側に引っ張られたときに伸びる部分が、バスバー１における上記拘束がなされる部分同士の間という短い部分（図中の距離Ｌａ，Ｌｂに対応する部分）となる。このため、バスバー１における距離Ｌａに対応する部分及び距離Ｌｂに対応する部分が受容室６内に向けて伸びにくくなり、その伸びにくくなる分だけ切断刃４の受容室６内への移動に伴うバスバー１の良好な切断を実現しやすくなる。
【００３２】
以上詳述した本実施形態によれば、以下に示す効果が得られるようになる。
（１）切断刃４によるバスバー１の切断時には、切断刃４の刃部４ａがバスバー１に当たった状態で受容室６の開口部６ａとすれ違う方向に移動しようとして、バスバー１における上記切断刃４の刃部４ａと上記受容室６の開口部６ａとの間に位置する部分に剪断力が働き、同剪断力が働く際にバスバー１が受容室内に向けて引っ張られる。しかし、バスバー１における受容室６の開口部６ａ周りに対応する部分であって切断刃４の刃部４ａ寄りの部分（突起１０ｂ）が、ブロック５によりハウジング２に対し拘束されているため、バスバー１における上記拘束がなされる部分が受容室６内に向けてずれることは抑制される。そして、バスバー１における上記拘束がなされる部分が受容室６に向けてずれにくくなる分、切断刃４の受容室６内への移動に伴うバスバー１の良好な切断を実現しやすくなる。また、バスバー１における上記拘束がなされる部分と切断刃４の刃部４ａが当たる部分との間の距離Ｌｂ、すなわちバスバー１が受容室６側に引っ張られたときに伸びる部分の距離が短いため、その部分が受容室６内に向けて伸びにくくなる。そして、バスバー１における上記部分が受容室６内に向けて伸びにくくなる分、切断刃４の受容室６内への移動に伴うバスバー１の良好な切断を実現しやすくなる。
【００３３】
（２）バスバー１における受容室６の開口部６ａ周りに対応する部分であって、切断刃４の刃部４ａ寄りの部分に対し上記開口部６ａを挟んだ反対側の部分も、ブロック５によりハウジング２に対し拘束されている。このため、切断時のバスバー１が受容室６内に向けて引っ張られる際、バスバー１における受容室６の開口部６ａ周りに対応する部分のうち、切断刃４の刃部４ａ寄りの部分だけでなく、その部分に対し上記開口部６ａを挟んだ反対側の部分でも、受容室６内に向けてずれることは抑制される。そして、それらバスバー１における上記拘束がなされる部分が受容室６に向けてずれにくくなる分、切断刃４の受容室６内への移動に伴うバスバー１の良好な切断をより一層実現しやすくなる。また、上述したようにバスバー１が受容室６側に引っ張られたときに伸びる部分は、バスバー１における上記拘束がなされる部分同士の間という短い部分（距離Ｌａ，Ｌｂに対応する部分）となるため、同部分が受容室６内に向けて伸びることが一層生じにくくなる。そして、バスバー１における上記部分が受容室６内に向けて伸びにくくなる分、切断刃４の受容室６内への移動に伴うバスバー１の良好な切断を実現しやすくなる。
【００３４】
（３）ブロック５に形成された突起１０ａ，１０ｂをバスバー１に形成された長孔１５ａ，１５ｂに嵌め込むことにより、ブロック５がバスバー１に対し位置決めされるため、同ブロック５のバスバー１に対するずれを抑制して両者の相対位置を適切なものとすることができる。
【００３５】
（４）ブロック５は、切断刃４が一体形成されており、且つ、ハウジング２に対し位置決めされるものである。そして、ブロック５のハウジング２に対する位置決めは、ブロック５に形成された突起１０ａ，１０ｂをハウジング２に形成された凹所１８ａ，１８ｂに嵌め込むことによって実現される。ここで、ブロック５のハウジング２に対する位置は、バスバー１の切断時における切断刃４の刃部４ａと受容室６の開口部６ａとのクリアランスＣに影響を及ぼす。このため、上述したブロック５のハウジング２に対する位置決めにより上記クリアランスＣを適切な値、例えばバスバー１の切断にとって最適な値に設定することができる。すなわち、こうしたクリアランスＣの設定がなされるよう凹所１８ａ，１８ｂのバスバー１の延びる方向についての位置を定めることで、上記クリアランスＣの最適値となる設定を実現することができる。
【００３６】
（５）ブロック５における突起１０ａと突起１３とはバスバー１の延びる方向について互いにずれて位置しており、それに伴いバスバー１における長孔１５ａと窪み１６とが同じくバスバー１の延びる方向に互いにずれて位置している。仮に、バスバー１における長孔１５ａと窪み１６とがバスバー１の延びる方向について同一の位置に形成されていたとすると、その位置ではバスバー１の幅方向についての断面積が小さくなり過ぎて同バスバー１での通電に支障を来すおそれがある。しかし、長孔１５ａと窪み１６とがバスバー１の延びる方向に互いにずれて位置しているため、バスバー１での通電に支障を来すという上記問題の発生を回避することができる。なお、ブロック５における突起１０ｂと突起１４ともバスバー１の延びる方向について互いにずれて位置しており、それに伴いバスバー１における長孔１５ｂと窪み１７とも同じくバスバー１の延びる方向に互いにずれて位置しているため、ここでもバスバー１での通電に関する上記と同様の効果が得られる。
【００３７】
なお、上記実施形態は、例えば以下のように変更することもできる。
・切断刃４は、ブロック５と一体ではなく別体であってもよい。
・ブロック５は、バスバー１における受容室６の開口部周りに対応する部分であって切断刃４寄りの部分のみをハウジング２に対し拘束するものであってもよい。
【００３８】
・ブロック５の突起１０ａ，１０ｂは、バスバー１に対する位置決め用としてだけでなく、ハウジング２に対する位置決め用としても機能するが、同ハウジング２に対する位置決め用としての機能については必ずしも持たせる必要はない。例えば、ブロック５にハウジング２に対する位置決め用の突起を別に設け、その突起をハウジング２に形成された凹所に嵌め込むことにより、ブロック５をハウジング２に対し位置決めするようにしてもよい。この場合、ブロック５及びハウジング２における突起と凹所との位置関係を逆にすることも可能である。また、一つの突起と一つの凹所とを一つの組として、それら突起と凹所との組を一組だけ設けてもよいし、複数組設けてもよい。
【００３９】
・ブロック５の突起１０ａ，１０ｂとバスバー１の長孔１５ａ，１５ｂとの位置関係を逆としてもよい。すなわち、バスバー１側に上記突起１０ａ，１０ｂに対応する固定用の突起を形成する一方、ブロック５側に上記長孔１５ａ，１５ｂに対応する長孔を形成するようにしてもよい。
【００４０】
・突起１０ａ及び長孔１５ａと突起１０ｂ及び長孔１５ｂとのうち、突起１０ｂ及び長孔１５ｂのみを設けたり、突起１０ｂ及び長孔１５ｂのみを設けたりすることも可能である。
【００４１】
・ブロック５の突起１３及びバスバー１の窪み１６を省略したり、ブロック５の突起１４及びバスバー１の窪み１７を省略したりしてもよい。
・突起１０ａ及び長孔１５ａを省略して突起１３及び窪み１６でブロック５をバスバー１に対し位置決めするようにしたり、突起１０ｂ及び長孔１５ｂを省略して突起１４及び窪み１７でブロック５をバスバー１に対し位置決めするようにしたりしてもよい。これらの場合、突起１３及び窪み１６を図２における突起１０ａ及び長孔１５ａに相当する位置に形成したり、突起１４を窪み１６を図２における突起１０ｂ及び長孔１５ｂに相当する位置に形成したりすることが好ましい。
【００４２】
・ブロック５については、二つの分割体でバスバー１を挟み込んだ状態のもとで両分割体を互いに結合することにより形成されるものでもよい。この場合、両分割体を互いに結合したとき、ブロック５の突起１０ａ，１０ｂがバスバー１の長孔１５ａ，１５ｂに嵌め込まれるようにすることが好ましい。こうした構造を採用すれば、ブロック５を形成すべく二つの分割体でバスバー１を挟んだ状態で両分割体を互いに結合するとき、ブロック５の突起１０ａ，１０ｂがバスバー１の長孔１５ａ，１５ｂに嵌め込まれるため、その嵌め込みによるブロック５のバスバー１に対する位置決めを容易に行うことができる。なお、こうした構造を採用したときには、両分割体を互いに結合した状態のもとで上記突起１０ａ，１０ｂが一方の分割体を貫通し、それら貫通した部分がハウジング２の凹所１８ａ，１８ｂに嵌め込まれるようにすることが考えられる。
【００４３】
・ブロック５は、インサート成形によりバスバー１に接触する部分全体が同バスバー１に対し固着されるものであってもよい。この場合、ブロック５をバスバー１に対し固着させることにより、そのブロック５によってバスバー１をハウジング２に対し拘束するとき、その拘束をより的確に行うことができる。このため、切断時のバスバー１が受容室６内に向けて引っ張られるとしても、それによってバスバー１が伸びたりずれたりすることを抑制でき、その分だけバスバー１の適切な切断を実現しやすくなる。なお、このときの切断刃４としては、ブロック５と別体であって同ブロック５に対しインサート成形後に後付けされるものとすることが好ましい。
【符号の説明】
【００４４】
１…バスバー、２…ハウジング、３…収容部、４…切断刃、４ａ…刃部、５…ブロック、６…受容室、６ａ…開口部、７…穴、８…ハンマ、９…ガス発生器、１０ａ，１０ｂ…突起、１１，１２…突条、１３，１４…突起、１５ａ，１５ｂ…長孔、１６，１７…窪み、１８ａ，１８ｂ…凹所。
【図１】
2014067618.tif 000003
【図２】
2014067618.tif 000004
【図３】
2014067618.tif 000005